(57)【要約】【課題】極めて簡単に様々な用途に用いられることができる指輪を提供する。【解決手段】環状部材１５ａ、１５ｂが直立姿勢を確立すると、ピン１７は、環状部材１５ａ、１５ｂの内周面を規定する内円よりも外側に位置する。内円から内側に突出物は存在しない。使用者は環状部材１５ａ、１５ｂに指を差し込むことができる。指輪１１は指輪として使用されることができる。環状部材１５ａ、１５ｂが水平姿勢を確立すると、ピン１７は溝２７から離脱する。指輪１１は例えばブローチとして使用されることができる。加えて、帯紐や紐に基づき指輪１１は帯飾りやネックレスのチャーム、チョーカーの飾りとして使用されることができる。指輪１１は極めて簡単に様々な用途に用いられることができる。しかも、指輪１１が指輪やブローチとして用いられる場合、付属品の取り付け作業は回避されることができる。【選択図】図４
2008017872.tif 000002
【特許請求の範囲】
【請求項１】
宝石台と、宝石台に取り付けられて、宝石台から所定の間隔で離れた位置で延びるピンと、宝石台およびピンの間に区画される空間で宝石台に取り付けられ、ピンに直交する仮想平面内に延びる支軸と、支軸に連結されて、支軸を含む一平面内で広がりつつ支軸回りで回転自在に宝石台に支持される環状部材と、支軸の軸心に直交しつつピンを含む仮想平面に沿って環状部材の内周面に刻まれる溝とを備えることを特徴とする指輪。
【請求項２】
請求項１に記載の指輪において、前記環状部材は、ピンに直交する仮想平面に沿って広がる直立姿勢と、ピンを含み支軸に平行に広がる仮想平面、および、宝石台の間の空間に収まる水平姿勢との間で少なくとも姿勢を変化させることを特徴とする指輪。
【発明の詳細な説明】
【技術分野】
【０００１】
本発明は、例えばブローチといった他の用途に利用されることができる指輪に関する。
【背景技術】
【０００２】
例えば特許文献１には、指輪として使用される一方で、ブローチとして使用されることができる装飾品が開示される。この装飾品は、例えば真珠やダイヤモンドを支持する宝石台を備える。宝石台には、環状部材およびピンといった付属品が着脱自在に連結される。宝石台に環状部材が取り付けられると、装飾品は指輪として機能する。宝石台にピンが取り付けられると、装飾品はブローチとして機能する。
【特許文献１】特開平８−１８２５１８号公報
【特許文献２】特開平１１−２８５４０４号公報
【特許文献３】特開平５−１５４０３号公報
【発明の開示】
【発明が解決しようとする課題】
【０００３】
装飾品が指輪として使用される場合、環状部材の取り付け作業が求められる。同様に、装飾品がブローチとして使用される場合、ピンの取り付け作業が求められる。装飾品やピン、環状部材は非常に小さいことから、取り付け作業には非常に手間がかかる。しかも、環状部材やピンは装飾品とは別個に保管されなければならない。使用者は、宝石台から取り外された環状部材やピンを紛失してしまうことが懸念される。
【０００４】
本発明は、上記実状に鑑みてなされたもので、極めて簡単に様々な用途に用いられることができる指輪を提供することを目的とする。
【課題を解決するための手段】
【０００５】
上記目的を達成するために、本発明によれば、宝石台と、宝石台に取り付けられて、宝石台から所定の間隔で離れた位置で延びるピンと、宝石台およびピンの間に区画される空間で宝石台に取り付けられ、ピンに直交する仮想平面内に延びる支軸と、支軸に連結されて、支軸を含む一平面内で広がりつつ支軸回りで回転自在に宝石台に支持される環状部材と、支軸の軸心に直交しつつピンを含む仮想平面に沿って環状部材の内周面に刻まれる溝とを備えることを特徴とする指輪が提供される。
【０００６】
こうした指輪では、宝石台にはピンが取り付けられる。支軸は、宝石台およびピンの間に区画される空間で宝石台に取り付けられる。支軸には環状部材が連結される。環状部材は、支軸を含む一平面内で広がりつつ支軸回りで回転自在に宝石台に支持される。環状部材の内周面には溝が刻まれる。溝は、支軸の軸心に直交しつつピンを含む仮想平面に沿って形成される。環状部材が支軸回りで揺動すると、溝はピンに沿って移動する。すなわち、移動中、溝はピンを辿る。その結果、揺動中の環状部材とピンとの接触は回避される。環状部材が直立姿勢を確立すると、ピンは、環状部材の内周面を規定する内円よりも外側に位置することができる。
【０００７】
環状部材が宝石台から立ち上がると、使用者は環状部材内に指を差し込むことができる。前述のようにピンは内円よりも外側に位置することから、内円から内側に突出物は存在しない。指の差し込みは妨げられない。こうして指輪は指輪として使用されることができる。しかも、溝の働きで環状部材は宝石台に最大限に接近することができる。回転に基づき例えば環状部材が宝石台に沿って配置されると、ピンは溝から離脱する。ピンに基づき指輪は例えばブローチとして使用されることができる。加えて、帯紐や紐に基づき指輪は帯飾りやネックレスのチャーム、チョーカーの飾りとして使用されることができる。指輪は極めて簡単に様々な用途に用いられることができる。しかも、指輪が例えば指輪やブローチとして用いられる場合、指輪に付属品は一切必要とされない。
【０００８】
環状部材は、ピンに直交する仮想平面に沿って広がる直立姿勢と、ピンを含み支軸に平行に広がる仮想平面、および、宝石台の間の空間に収まる水平姿勢との間で少なくとも姿勢を変化させればよい。直立姿勢では、環状部材はピンに直交する仮想平面に沿って広がる。溝はピンを受け入れる。このとき、指輪は指輪として使用されればよい。その一方で、水平姿勢ではピンは溝から外れる。このとき、指輪は例えばブローチや帯飾り、ネックレスのチャーム、チョーカーの飾りとして使用されればよい。
【発明の効果】
【０００９】
以上のように本発明によれば、極めて簡単に様々な用途に用いられることができる指輪が提供されることができる。
【発明を実施するための最良の形態】
【００１０】
以下、添付図面を参照しつつ本発明の一実施形態を説明する。
【００１１】
図１は本発明の第１実施形態に係る指輪１１の外観を概略的に示す。この指輪１１は、真珠１２やダイヤモンド１３を支持する宝石台１４を備える。真珠１２やダイヤモンド１３は例えば宝石台１４の表面に固定されればよい。宝石台１４は例えば１８金から形成されればよい。
【００１２】
宝石台１４の裏面には１対の環状部材１５ａ、１５ｂが取り付けられる。相互に向き合う環状部材１５ａ、１５ｂの表面には枠体１６が区画される。枠体１６同士は相互に突き当てられる。環状部材１５ａ、１５ｂ同士は所定の間隔で平行に配置される。環状部材１５ａ、１５ｂは例えば１８金から形成されればよい。
【００１３】
図２に示されるように、宝石台１４の裏面にはピン１７が取り付けられる。ピン１７は、宝石台１４から所定の間隔で離れた位置で宝石台１４の裏面に平行に延びる。ピン１７の基部端から尖端までの長さは、長手方向に規定される宝石台１４の全長より小さく設定されればよい。こうしてピン１７は宝石台１４の輪郭よりも内側に配置される。すなわち、ピン１７は宝石台１４の背後に隠れることができる。
【００１４】
宝石台１４の裏面には１対の支持台１８ａ、１８ｂが突き出る。支持台１８ａの先端にピン１７の基部端が支持される。ピン１７は支持台１８ａに支軸１９で連結される。ピン１７は支軸１９回りで揺動することができる。その一方で、ピン１７の尖端は支持台１８ｂに支持される。いずれの支持台１８ａ、１８ｂも宝石台１４に一体化されればよい。
【００１５】
支持台１８ｂには収容部材２１がピン１７の軸心に沿って進退自在に組み込まれる。ピン１７の尖端は収容部材２１の中空空間内に収容される。こうしてピン１７の揺動は規制される。ピン１７は宝石台１４の裏面に平行に保持される。図３を併せて参照し、収容部材２１が支持台１８ｂから遠ざかると、ピン１７の尖端は収容部材２１から離脱する。その結果、ピン１７は支軸１９回りで揺動することができる。
【００１６】
宝石台１４およびピン１７の間に区画される空間２３には支軸２４ａ、２４ｂが配置される。支軸２４ａ、２４ｂは宝石台１４に取り付けられる。支軸２４ａは、ピン１７に直交する仮想平面２５ａ内に延びる。こうして環状部材１５ａは、支軸２４ａを含む一平面内で広がりつつ支軸２４ａ回りで回転自在に宝石台１４に支持される。一平面が仮想平面２５ａに一致すると、環状部材１５ａは直立姿勢を確立する。
【００１７】
同様に、支軸２４ｂは、ピン１７に直交する仮想平面２５ｂ内に延びる。環状部材１５ｂは、支軸２４ｂを含む仮想平面２５ｂ内に延びる。こうして環状部材１５ｂは、支軸２４ａを含む一平面内で広がりつつ支軸２４ｂ回りで回転自在に宝石台１４に支持される。一平面が仮想平面２５ｂに一致すると、環状部材１５ｂは直立姿勢を確立する。
【００１８】
支軸２４ａ、２４ｂ同士は相互に平行に延びる。ここでは、支軸２４ａ、２４ｂ同士は宝石台１４に段違いに配置される。例えば支軸２４ａはピン１７寄りに配置される。例えば支軸２４ｂは宝石台１４寄りに配置される。こうして、後述されるように、水平姿勢の環状部材１５ａは水平姿勢の環状部材１５ｂに重ね合わせられることができる。
【００１９】
図４に示されるように、環状部材１５ａ、１５ｂの内周面には、支軸２４の軸心に直交しつつピン１７を含む仮想平面２６に沿って溝２７が刻まれる。ピン１７は溝２７に受け入れられる。図５に示されるように、環状部材１５ａ、１５ｂが支軸２４回りで揺動すると、溝２７はピン１７に沿って移動する。すなわち、移動中、溝２７はピン１７を辿る。その結果、揺動中の環状部材１５ａ、１５ｂとピン１７との接触は回避される。環状部材１５ａ、１５ｂが直立姿勢を確立すると、ピン１７は、環状部材１５ａ、１５ｂの内周面を規定する内円よりも外側に位置することができる。その結果、環状部材１５ａ、１５ｂは宝石台１４に最大限に接近することができる。
【００２０】
次に、指輪１１の使用方法を説明する。環状部材１５ａ、１５ｂが仮想平面２５ａ、２５ｂに沿ってそれぞれ直立姿勢を確立すると、使用者は環状部材１５ａ、１５ｂ内に指を差し込むことができる。前述のようにピン１７は内円よりも外側に位置することから、内円から内側に突出物は存在しない。指の差し込みは妨げられない。こうして指輪１１は指輪として使用されることができる。
【００２１】
図６に示されるように、環状部材１５ａ、１５ｂは直立姿勢から支軸２４ａ、２４ｂ回りで相互に反対向きに回転する。ピン１７は溝２７から離脱する。例えば環状部材１５ａ、１５ｂは直立姿勢から９０度の回転角で回転することができる。環状部材１５ａ、１５ｂは、ピン１７を含み支軸２４ａ、２４ｂに平行に広がる仮想平面２８および宝石台１４の間の空間２９に収まる。こうして環状部材１５ａ、１５ｂは第１水平姿勢を確立する。
【００２２】
第１水平姿勢では、図７に示されるように、環状部材１５ａ、１５ｂは宝石台１４の輪郭より外側に先端を規定する。宝石台１４の両側で環状部材１５ａ、１５ｂは飾りを構成する。図８を併せて参照し、このとき、例えば枠体１６、１６に帯紐３１が通されれば、指輪１１は帯飾りとして使用されることができる。帯紐３１がチョーカー用の紐に変更されれば、指輪１１はチョーカーの飾りとして使用されることができる。
【００２３】
その一方で、例えば図９に示されるように、空間２３にネックレスの紐３２が通されれば、指輪１１はネックレスのチャームとして使用されることができる。図１０に示されるように、紐３２は支持台１８に引っ掛けられればよい。その他、ピン１７の働きで指輪１１は例えば洋服に装着されることができる。こうして指輪１１は例えばブローチとして使用されることができる。
【００２４】
図１１に示されるように、環状部材１５ａは支軸２４ａ回りで第１水平姿勢の環状部材１５ｂに重ね合わせられることができる。前述されるように、支軸２４ａ、２４ｂは宝石台１４に段違いに配置されることから、環状部材１５ａ、１５ｂは相互に平行に広がることができる。こうして環状部材１５ａ、１５ｂは第２水平姿勢を確立する。この場合、図１２に示されるように、宝石台１４の片側で環状部材１５ａ、１５ｂは飾りを構成する。
【００２５】
以上のような指輪１１は、環状部材１５ａ、１５ｂが直立姿勢を確立すると、指輪１１は指輪として使用されることができる。環状部材１５ａ、１５ｂが第１および第２水平姿勢を確立すると、指輪１１は帯飾りやチョーカーの飾り、ネックレスのチャーム、ブローチとして使用されることができる。指輪１１は極めて簡単に様々な用途に使用されることができる。しかも、指輪１１が指輪やブローチとして使用される場合、付属品の取り付け作業は回避されることができる。
【００２６】
図１３は本発明の第２実施形態に係る指輪１１ａの外観を概略的に示す。この指輪１１ａでは、宝石台１４は例えば蜂をモチーフに形成される。宝石台１４には１つの環状部材１５ｃが支持される。この環状部材１５ｃでは前述の枠体１６は区画されない。宝石台１４や環状部材１５ｃは例えばプラチナから形成されればよい。その他、前述の指輪１１と均等な構成や構造には同一の参照符号が付される。
【００２７】
図１４に示されるように、環状部材１５ｃは前述と同様に直立姿勢を確立することができる。図１５に示されるように、環状部材１５ｃの内周面には溝２７が刻まれる。溝２７にはピン１７が受け入れられる。環状部材１５ｃが直立姿勢を確立すると、ピン１７は、環状部材１５ｃの内周面を規定する内円よりも外側に位置することができる。指の差し込みは妨げられない。こうして指輪１１ａは指輪として使用されることができる。
【００２８】
その一方で、環状部材１５ｃは水平姿勢を確立する。このとき、図１６に示されるように、例えば空間２３に紐３２が通されれば、指輪１１ａはネックレスのチャームとして使用されることができる。その他、ピン１７の働きで指輪１１ａはブローチとして使用されることができる。こうして指輪１１ａは極めて簡単に様々な用途に使用されることができる。しかも、指輪１１ａが指輪やブローチとして使用される場合、付属品の取り付け作業は回避されることができる。
【００２９】
図１７は本発明の第３実施形態に係る指輪１１ｂの外観を概略的に示す。この指輪１１ｂでは、宝石台１４は例えば仏像をモチーフに形成される。前述の指輪１１ａと同様に、宝石台１４には１つの環状部材１５ｃが支持される。宝石台１４や環状部材１５ｃは例えば１８金やプラチナから形成されればよい。
【００３０】
図１８に示されるように、環状部材１５ｃは前述と同様に直立姿勢を確立することができる。環状部材１５ｃの内周面には溝２７が刻まれる。溝２７にはピン１７が受け入れられる。環状部材１５ｃが直立姿勢を確立すると、ピン１７は、環状部材１５ｃの内周面を規定する内円よりも外側に位置することができる。指の差し込みは妨げられない。こうして指輪１１ｂは指輪として使用されることができる。
【００３１】
図１９に示されるように、宝石台１４の裏面には保持部材３５が取り付けられる。図２０に示されるように、保持部材３５の先端には切り欠き３６が形成される。この切り欠き３６は、ピン１７の軸径より一回り大きい直径の円形部３６ａと、ピン１７の軸径よりも小さい幅の入り口３６ｂとを備える。ピン１７は保持部材３５の弾性変形に応じて入り口部３６ｂから円形部３６ａに進入する。保持部材３５の原形復帰に応じてピン１７は円形部３６ａで保持される。
【００３２】
切り欠き３６の円形部３６ａは宝石台１４の裏面に直交する仮想直立面３７を横切りつつ宝石台１４の裏面に平行に広がる。したがって、例えば図２１に示されるように、支軸１９回りの揺動に基づきピン１７が立ち上がると、ピン１７は直立姿勢に維持されることができる。このとき、ピン１７の尖端には留め具３８が取り付けられると、指輪１１ｂは例えばタックピンとして使用されることができる。その他、前述の指輪１１、１１ａと均等な構成や構造には同一の参照符号が付される。
【００３３】
こうした指輪１１ｂでは、環状部材１５ｃが水平姿勢を確立すると、指輪１１ｂはネックレスの飾りやブローチとして使用されることができる。こうした指輪１１ｂによれば、前述の指輪１１、１１ａと同様に、指輪１１ｂは極めて簡単に様々な用途に使用されることができる。しかも、指輪１１ｂが指輪やブローチとして使用される場合、付属品の取り付け作業は回避されることができる。
【図面の簡単な説明】
【００３４】
【図１】本発明の第１実施形態に係る指輪の外観を概略的に示す斜視図である。
【図２】本発明の第１実施形態に係る指輪の構造を概略的に示す側面図である。
【図３】ピンが揺動する様子を概略的に示す側面図である。
【図４】図２の４−４線に沿った断面図である。
【図５】図４の５−５線に沿った部分拡大断面図であり、支軸回りに環状部材が回転する様子を概略的に示す図である。
【図６】環状部材が第１水平姿勢を確立する様子を概略的に示す側面図である。
【図７】指輪が帯飾りとして使用される様子を概略的に示す正面図である。
【図８】指輪が帯飾りとして使用される様子を概略的に示す背面図である。
【図９】指輪がネックレスとして使用される様子を概略的に示す正面図である。
【図１０】指輪がネックレスとして使用される様子を概略的に示す背面図である。
【図１１】環状部材が第２水平姿勢を確立する様子を概略的に示す側面図である。
【図１２】指輪がネックレスとして使用される様子を概略的に示す正面図である。
【図１３】本発明の第２実施形態に係る指輪の外観を概略的に示す斜視図である。
【図１４】本発明の第２実施形態に係る指輪の構造を概略的に示す側面図である。
【図１５】本発明の第２実施形態に係る指輪の構造を概略的に示す側面図である。
【図１６】指輪がネックレスとして使用される様子を概略的に示す正面図である。
【図１７】本発明の第３実施形態に係る指輪の外観を概略的に示す正面図である。
【図１８】図１７の１８−１８線に沿った断面図である。
【図１９】本発明の第３実施形態に係る指輪の構造を概略的に示す側面図である。
【図２０】本発明の第３実施形態に係る指輪の構造を概略的に示す背面図である。
【図２１】指輪がタックピンとして使用される様子を概略的に示す側面図である。
【符号の説明】
【００３５】
１１、１１ａ、１１ｂ  指輪、１４  宝石台、１５ａ、１５ｂ、１５ｃ  環状部材、１７  ピン、２３  空間、２４、２４ａ、２４ｂ  支軸、２５  仮想平面、２６  仮想平面、２７  溝、２８  仮想平面。
【図１】
2008017872.tif 000003
【図２】
2008017872.tif 000004
【図３】
2008017872.tif 000005
【図４】
2008017872.tif 000006
【図５】
2008017872.tif 000007
【図６】
2008017872.tif 000008
【図７】
2008017872.tif 000009
【図８】
2008017872.tif 000010
【図９】
2008017872.tif 000011
【図１０】
2008017872.tif 000012
【図１１】
2008017872.tif 000013
【図１２】
2008017872.tif 000014
【図１３】
2008017872.tif 000015
【図１４】
2008017872.tif 000016
【図１５】
2008017872.tif 000017
【図１６】
2008017872.tif 000018
【図１７】
2008017872.tif 000019
【図１８】
2008017872.tif 000020
【図１９】
2008017872.tif 000021
【図２０】
2008017872.tif 000022
【図２１】
2008017872.tif 000023